(57)【要約】【課題】画像表示装置の利用者に対して、信号の発信機などの装置を利用者が携帯することなく、利用者の存在する位置に対して表示装置の輝度およびコントラスト等の画質を常に最適な値に自動的に調整する方法および装置を提供することを目的とする。【解決手段】人位置検出手段１０１によって得られたデータから演算部１０２が利用者の存在する位置を検出する。演算部１０２は検出された位置情報と、設定値記憶手段１０３に保持されたテーブル内にある輝度およびコントラストのベース値と補正値とをもとに新たな輝度およびコントラストの値を算出し、表示制御部１０４に渡す。表示制御部１０４は指示された値を表示手段１０５に対して設定する。【選択図】図１
2006267323.tif 000002
【特許請求の範囲】
【請求項１】
人の存在する位置を検出する人位置検出手段と、
前記人位置検出手段により検出された人の位置情報をもとに、表示コントラストおよび輝度の設定値を算出する演算手段と、
前記設定値に基づき表示手段を制御する表示制御手段とを有することを特徴とする表示調整装置。
【請求項２】
前記人位置検出手段は、所定の条件により離散的に利用者の検出を行うことを特徴とする請求項１記載の表示調整装置。
【請求項３】
前記人位置検出手段は、少なくとも周囲の環境情報を測定する手段を有し、
前記演算手段は、前記人位置検出手段により検出された人の位置情報と、前記周囲の環境情報とをもとに表示コントラストおよび輝度の設定値を決定することを特徴とする請求項１または２に記載の表示調整装置。
【請求項４】
人の存在する位置を検出する人位置検出工程と、
前記人位置検出工程により検出された人の位置情報をもとに、表示コントラストおよび輝度の設定値を算出する演算工程と、
前記設定値に基づき表示手段を制御する表示制御工程とを有することを特徴とする表示調整方法。
【請求項５】
前記人位置検出工程は、所定の条件により離散的に利用者の検出を行うことを特徴とする請求項４記載の表示調整方法。
【請求項６】
前記人位置検出工程は、少なくとも周囲の環境情報を測定する工程を有し、
前記演算工程は、前記人位置検出工程により検出された人の位置情報と、前記周囲の環境情報とをもとに表示コントラストおよび輝度の設定値を決定することを特徴とする請求項４または５に記載の表示調整方法。
【発明の詳細な説明】
【技術分野】
【０００１】
本発明は、表示のコントラストまたは輝度を自動的に調整する画質調整方法および画質調整装置に関する。
【背景技術】
【０００２】
テレビや情報端末機器の表示装置に於いて、それを見る利用者は利用者自身が見やすいようにその表示コントラスト及び輝度を手動で調整を行っている。液晶表示装置などでは、表示部を見る角度が変わるとコントラストも変化するため、その都度見やすい画質を得るためには手動で調整を行う必要がある。
【０００３】
この問題を解決するため、利用者の位置に応じて表示画質を自動調整する手段が提案されている。例えば、利用者が位置検出のための信号を発信する装置を持ち、表示装置にその信号の向きを検出することができる装置を設けることにより、利用者の位置を検出し、その検出された位置に対して最適な画質を得られるような制御を行うといった方法である（特許文献１参照）。
【特許文献１】特開昭６１−２１２１７８号公報
【発明の開示】
【発明が解決しようとする課題】
【０００４】
しかしながら、上述した手法では、発信機からの信号の発信によって利用者の位置を検出しているため、利用者が常に発信機を持っていなければならないという問題点を有している。このため、利用者が発信機を持たずに移動を行った場合や、利用者以外の人によって発信機が使用された場合などに、利用者に対して最適な画質を設定することができないという課題がある。
【０００５】
そこで本発明では、そのような発信機を用いることなく利用者の位置を検出することで、利用者が常に発信機を持っていない場合でも、利用者の移動に追従することが可能な画質調整方法および画質調整装置を提供することを目的とする。
【課題を解決するための手段】
【０００６】
上記目的を達成するために、本発明の画質調整装置は、人の存在する位置を検出する人位置検出手段と、人位置検出手段により検出された人の位置情報をもとに、表示コントラストおよび輝度の設定値を算出する演算手段と、設定値に基づき表示手段を制御する表示制御手段とを備える。
【０００７】
このような構成により、発信機などの装置を用いることなく利用者の位置が検出でき、利用者が常に発信機を持っていなくてもその移動に追従し、最適なコントラストおよび輝度を設定することができる。
【発明の効果】
【０００８】
以上のように本発明の画質調整方法および画質調整装置によれば、利用者が発信機などの装置を常に持つことなく、利用者が存在する位置に対して常に最適な画質を得ることができる。
【発明を実施するための最良の形態】
【０００９】
以下、本発明の実施の形態を、図面を参照しながら説明する。
【００１０】
（実施の形態１）
図１は、本発明の画質調整方法または画質調整装置を有する画像表示装置の構成を示したブロック図である。同図において、１０１は人位置検出手段、１０２は演算部、１０３は設定値記憶手段、１０４は表示制御部、１０５は画像表示手段である。
【００１１】
図２は本実施の形態の利用状況を示した概念図である。同図において、２０６および２０７は画像表示手段の利用者である。人位置検出手段１０１は利用者２０６および２０７の存在する位置を検出し、位置情報を演算部１０２に送る。
【００１２】
この際、人位置検出手段１０１としては、例えば図３に示すような装置を用いることで実現が可能である。図中の３０１、３０２、３０３、３０４、３０５、は対人位置検出赤外線センサを並べたものであり、複数個のセンサの検出結果を用いることで利用者の位置を検出する。
【００１３】
例えば、赤外線センサ３０１は、図３に示すａとｂの領域に人がいるかいないか、赤外線センサ３０２はｂ、ｃ、ｄの領域に人がいるかいないか、赤外線センサ３０３はｄ、ｅ、ｆの領域に人がいるかいないかを検出できるため、赤外線センサ３０２から人の存在を検出し、赤外線センサ３０１および赤外線センサ３０３から人の存在が検出されたかった場合は、利用者はｃの領域に存在すると判断することができる。
【００１４】
図２のような状況であれば、赤外線センサ３０１および赤外線センサ３０４において人の存在が検出され、残りのセンサからは人の存在は検出されなかったという情報が人位置検出手段１０１から演算部１０２に送られ、この情報をもとに、演算部１０２は領域ａおよびｇに利用者が存在すると判断する。
【００１５】
演算部１０２は利用者の位置を検出したら、設定値記憶手段１０３に保持されているテーブルの情報をもとに利用者の位置に対する最適な輝度値およびコントラスト値を算出する。
【００１６】
図４は本実施の形態において設定値記憶手段１０３に保持されている設定値テーブルの概念図である。設定値テーブルには輝度値およびコントラスト値のベースとなる値と、それらの値の利用者の位置に対する補正値が格納されている。演算部１０２は検出された利用者の位置をもとに輝度およびコントラストの補正値と、輝度およびコントラストのベース値とをテーブルから取得し、それらの値をもとに現在の状況に最適な、新しい輝度値およびコントラスト値を算出する。
【００１７】
算出された値は表示制御部１０４に渡され、表示制御部１０４は渡された値をもとに表示手段１０５の輝度値およびコントラスト値を設定する。
【００１８】
利用者の位置の検出については、連続的に行うことも離散的に行うことも可能である。
【００１９】
図５は、本実施の形態において、利用者の位置を離散的に検出することにした場合の輝度値およびコントラスト値の自動調整の動作を表したフローチャートである。
【００２０】
演算部１０２は所定のタイミングごとに人位置検出手段１０１に対して利用者の位置を検出するように指示を与える（Ｓ５１）。この際、検出を行うタイミングとしては、一定時間ごとや、コンテンツの切り替わり時などを用いる。コンテンツの切り替わるタイミングは、情報端末機器であれば表示対象の切り替わるタイミング、テレビであればＥＰＧ（電子番組ガイド）を用いて得られた番組の変化時刻、ＣＭ検出によって検出されたタイミングとして得ることができる。
【００２１】
人位置検出手段１０１は利用者検出の指示を受けると検出を行い、取得されたデータを演算部１０２に送る。演算部１０２は送られた情報をもとに利用者の存在する位置を特定する（Ｓ５２）。
【００２２】
また、その際、利用者が単数であるか複数人であるのかの判定も行い（Ｓ５３）、複数人の利用者の存在が検出された場合は、表示手段に対して最も真正面に近い角度に存在する利用者を対象として設定する（Ｓ５４）。
【００２３】
演算部１０２は検出された利用者の位置情報をもとに、現在の状況に最適な輝度値およびコントラストを上述の方法によって算出する（Ｓ５５）。演算部１０２は得られた設定値を表示制御部１０４に渡し、表示制御部１０４は渡された設定値を用いて画像表示手段１０５の輝度およびコントラストを設定する。
【００２４】
図６は、輝度あるいはコントラストの設定値を変更した際に、設定値記憶手段１０３に保持された設定値テーブルの値を更新するときの動作手順を示したフローチャートである。
【００２５】
利用者によって表示手段の輝度あるいはコントラストの設定値の変更が行われると（Ｓ６１）、演算部１０２は人位置検出装置１０１に対して利用者の位置検出を行うように指示する。人位置検出装置１０１は指示を受けると検出を行い、その結果取得されたデータを演算部１０２に送る。演算部１０２は送られてきた情報をもとに利用者の存在する位置を特定する（Ｓ６２）。
【００２６】
その際に利用者が単数であるか複数人であるのかの判定も行い（Ｓ６３）、複数人の存在が検出された場合は、表示手段対して最も真正面に近い角度に存在する利用者が設定値の変更を行ったものとみなし、対象として設定する（Ｓ６４）。
【００２７】
検出された位置情報に対して、演算部１０２は対象とする利用者が画面の真正面の領域に存在するかどうかを判定する（Ｓ６５）。利用者が正面に存在する場合は輝度あるいはコントラストのベースの値を設定する（Ｓ６６）。そうでない場合は設定された設定値とベース値とから輝度あるいはコントラストの補正値を算出し、テーブルの現在利用者が存在する位置に対応する輝度あるいはコントラストの補正値を更新する（Ｓ６７）。
【００２８】
なお、補正値を更新することによって近隣の位置における値と大小関係の逆転などの不整合が生じた場合は近隣の補正値も更新してもよい。
【００２９】
また、不整合が起こらないような場合でも、ひとつの補正値を更新することに伴って、他の部分の補正値も更新するようにしてもよい。
【００３０】
以上のような画質調整方法および画質調整装置を用いることによって、利用者が発信機などの装置を常に携帯せずとも、利用者の存在する位置に対して最適な画質を常に得ることが可能となる。
【００３１】
なお、本実施の形態においては複数人の利用者が検出されたとき、表示手段の最も真正面に近い利用者を対象者として設定したが、それ以外にも、最も真正面から遠くに存在する利用者や、全ての利用者の位置の重心となる位置などを対象として設定してもよい。
【００３２】
また、設定値を保持したテーブルの値は更新が可能であるので、より利用者の好みに応じた画質の調整が可能である。
【００３３】
（実施の形態２）
図７は、本発明の実施の形態２による画質調整方法または画質調整装置を有する画像表示装置の構成を示したブロック図である。同図において、７０１は人位置検出手段、７０２は演算部、７０３は設定値保持手段である。その他の構成要素については図１と同じものであるので説明は省略する。
【００３４】
７０１の人位置検出手段は、人の位置情報に加えて周囲の環境についての情報も得ることができるような手段である。例としてはＣＣＤカメラなどを用いることができる。表示手段側から利用者を撮影し、その画像データと利用者とカメラ間の距離データおよび周囲の明るさ情報を演算部７０２に渡す。演算部７０２は得られた画像データから利用者の顔の位置を抽出することで利用者の位置を特定する。
【００３５】
その位置情報および検出手段７０１から渡された距離情報および周囲の明るさ情報のそれぞれについて、設定値記憶手段７０３に保持された、図４に示すようなテーブルから輝度およびコントラストの補正値を求め、求められた全ての補正値によってベースの値を補正することで新たな輝度およびコントラストの値を算出する。
【００３６】
利用者とカメラ間の距離は、オートフォーカスカメラなどに利用されている技術を用いて測定することができる。また、周囲の明るさは自動露出などに利用されている技術を用いることで測定することが可能である。撮影画像データから人物の顔を抽出する手段としては、特開２００３−４４８５３号公報などに示されている。
【００３７】
以上のような画質調整方法および画質調整装置によって、実施の形態１を用いた場合の効果に加えて、昼夜、装置自体の設置場所の変更、携帯用の情報端末機器や携帯用のテレビといった周囲の環境が頻繁に変わり得る状況においても常に利用者にとって最適な画質を得ることが可能となる。
【００３８】
なお、上記実施の形態１および実施の形態２では画質の自動調整のみについて述べたが、表示手段と共にスピーカ等の音響手段を有する場合、マルチスピーカの各チャネルの音量のバランス等を利用者の位置に応じて設定することも、本発明の自動調整方法および自動調整装置を用いることで同時に実現することが可能である。
【産業上の利用可能性】
【００３９】
本発明の画質調整方法および画質調整装置によれば、利用者が存在する位置に対して常に自動的に最適な画質を得ることができるため、画像表示装置を有する情報端末機器やモニタ、テレビ等において有用である。
【図面の簡単な説明】
【００４０】
【図１】本発明の実施の形態１による画質調整装置の構成を示すブロック図
【図２】同画質調整装置の利用状況の概念図
【図３】同画質調整装置で用いられる人位置検出手段の概念図
【図４】同画質調整装置の表示画質の設定値テーブルの概念図
【図５】同画質調整装置の画質の自動調整の動作を示すフローチャート
【図６】同画質調整装置の画質の設定値更新の動作を示すフローチャート
【図７】本発明の利用の形態２による画質調整装置の構成を示すブロック図
【符号の説明】
【００４１】
１０１    人位置検出手段
１０２    演算部
１０３    設定値記憶手段
１０４    表示制御部
１０５    画像表示手段
【図１】
2006267323.tif 000003
【図２】
2006267323.tif 000004
【図３】
2006267323.tif 000005
【図４】
2006267323.tif 000006
【図５】
2006267323.tif 000007
【図６】
2006267323.tif 000008
【図７】
2006267323.tif 000009